(57)【要約】      （修正有）【課題】扉から出入りする箱状のペット用のトイレにおいて、扉をしっかりと閉じることができるペット用トイレを提供する。【解決手段】第一の開口の上部にヒンジにより内側に開く外周に磁石又は磁性体が設けたられた入口扉３２と、前記第一の開口内周縁に沿って設けられる板状体からなり、前記入口扉３２に接触する部分に前記入口扉３２に設けられた磁石又は磁性体に吸着する磁石又は磁性体が設けられた入口側内フランジ部３３と、第二の開口の上部にヒンジにより外側に開くよう固定される外周に磁石又は磁性体が設けたられた板体からなる出口扉４２と、前記第二の開口内周縁に沿って設けられる板状体からなり、前記出口扉４２に接触する部分に前記出口扉４２に設けられた磁石又は磁性体に吸着する磁石又は磁性体が設けられる出口側内フランジ部４３とを設ける。【選択図】図２
0003177313.tif 000002
【実用新案登録請求の範囲】
【請求項１】
ほぼ気密的に密閉された箱体からなる本体と、
前記本体に設けられる第一の開口の上部にヒンジにより少なくとも内側に開くよう固定される前記第一の開口に嵌まる板体であって、外側面の外周に磁石又は磁性体が設けたられた板体からなる入口扉と、
前記第一の開口と前記入口扉との隙間又は接触縁に重なるように前記本体外側の前記第一の開口内周縁に沿って設けられる板状体からなり、前記入口扉に接触する部分に前記入口扉に設けられた磁石又は磁性体に吸着する磁石又は磁性体が設けられた入口側内フランジ部と、
前記本体に設けられる第二の開口の上部にヒンジにより少なくとも外側に開くよう固定される前記第二の開口に嵌まる板体であって、内側面の外周に磁石又は磁性体が設けたられた板体からなる出口扉と、
前記第二の開口と前記出口扉との隙間又は接触縁に重なるように前記本体内側の前記第二の開口内周縁に沿って設けられる板状体からなり、前記出口扉に接触する部分に前記出口扉に設けられた磁石又は磁性体に吸着する磁石又は磁性体が設けられる出口側内フランジ部と
を有するペット用トイレ。
【請求項２】
前記第一の開口の形状と前記第二の開口の形状及び／又は前記入口扉の形状と前記出口扉の形状が互いに異なるものである請求項１に記載のペット用トイレ。
【考案の詳細な説明】
【技術分野】
【０００１】
本考案は主に室内で飼われる犬や猫等のペット用のトイレに関する。
【背景技術】
【０００２】
室内で飼われる犬や猫のトイレは、多くの場合、トレイに砂や吸湿シートを敷いたものが使用される。ところで、このようなトイレを室内に置くと、糞尿の臭いが部屋に充満し、不快に感じる場合も多い。トレイの上に扉の付いたカバーを設けたものもあるが、扉の隙間から臭いが漏れることを防ぐことはできなかった。
これに対して、下記特許文献には、カバーに設けた扉の隙間にパッキンを設けることで臭いが漏れ出ることを防ぐことが示されている。
【先行技術文献】
【特許文献】
【０００３】
【特許文献１】特開2003-116396 号公報
【考案の概要】
【考案が解決しようとする課題】
【０００４】
しかしながら、開閉する扉の隙間にパッキンを設ける場合、扉の重さや扉の閉じる勢いでパッキンを密閉することとなり、十分に密閉できないことも多い。
本考案は、このような問題に鑑みて、扉から出入りする箱状のペット用のトイレにおいて、扉をしっかりと閉じることができるようにすることを課題とする。
【課題を解決するための手段】
【０００５】
上記課題を解決するために、本考案は次のような構成を有する。
請求項１に記載の考案は、ほぼ気密的に密閉された箱体からなる本体と、前記本体に設けられる第一の開口の上部にヒンジにより少なくとも内側に開くよう固定される前記第一の開口に嵌まる板体であって、外側面の外周に磁石又は磁性体が設けたられた板体からなる入口扉と、前記第一の開口と前記入口扉との隙間又は接触縁に重なるように前記本体外側の前記第一の開口内周縁に沿って設けられる板状体からなり、前記入口扉に接触する部分に前記入口扉に設けられた磁石又は磁性体に吸着する磁石又は磁性体が設けられた入口側内フランジ部と、前記本体に設けられる第二の開口の上部にヒンジにより少なくとも外側に開くよう固定される前記第二の開口に嵌まる板体であって、内側面の外周に磁石又は磁性体が設けたられた板体からなる出口扉と、前記第二の開口と前記出口扉との隙間又は接触縁に重なるように前記本体内側の前記第二の開口内周縁に沿って設けられる板状体からなり、前記出口扉に接触する部分に前記出口扉に設けられた磁石又は磁性体に吸着する磁石又は磁性体が設けられる出口側内フランジ部とを有するペット用トイレである。
請求項２に記載の考案は、前記ペット用トイレにおいて、前記第一の開口の形状と前記第二の開口の形状及び／又は前記入口扉の形状と前記出口扉の形状が互いに異なるものである。
【考案の効果】
【０００６】
請求項１に記載の考案は、本体の内側に開く入口扉は入口側内フランジ部に磁力で吸着することで密閉され、本体の外側に開く出口扉は出口側内フランジ部に磁力で吸着することで密閉されるので、扉の重さや扉の閉じる勢いのみで密閉する場合に比べてよりしっかりと扉部分を密閉することができる。また、入口と出口を分離することで、ペットが糞尿を排出した後で糞尿部分を通らないようにするといったようにペットの移動経路を設計することができる。
請求項２に記載の考案は、入口と出口の形状を変えることで、色覚の弱い犬や猫でも入口と出口とを容易に識別することができる。
【図面の簡単な説明】
【０００７】
【図１】実施形態に係るペット用トイレの斜視図である。
【図２】実施形態に係るペット用トイレの分解斜視図である。
【図３】実施形態に係るペット用トイレの入口部分の拡大縦断面図である。
【考案を実施するための形態】
【０００８】
以下、本考案の実施の形態について、図面を参照しながら説明する。
図１に本実施形態に係るペット用トイレＸの斜視図を示し、図２にペット用トイレＸの分解斜視図を示す。なお、図２は後述する出口扉４２が大きく開いた状態を示している。ペット用トイレＸは合成樹脂製のトレイ１０とトレイ１０の上方を覆う合成樹脂製のカバー２０とを有し、トレイ１０にカバー２０を乗せると密閉した箱状の本体を形成する。カバー２０には入口３０と出口４０が設けられる。
【０００９】
入口３０は第一開口３１、入口扉３２、入口側内フランジ部３３とから構成される。図３（ａ）に入口３０部分の入口扉３２が閉じた状態の拡大縦断面図を示し、図３（ｂ）に入口３０部分の入口扉３２が開いた状態の拡大縦断面図を示す。第一開口３１はカバー２０側面に設けられる長方形状の穴である。入口扉３２はこの第一開口３１に嵌る大きさの長方形状の板体であり、上縁が第一開口３１の上縁と一体となるようにカバー２０との一部として成形される。入口扉３２の上縁と第一開口３１の上縁とは薄肉に形成されることで樹脂ヒンジを構成する。この樹脂ヒンジは、入口扉３２がカバー２０の内側に大きく開くように形成されている。入口扉３２の外側面の外周は段差が形成されており、この段差部分に嵌るロの字状の板体からなる磁石３２ａが嵌め入れられて固定されている。磁石３２ａはカバー２０と同じ合成樹脂に磁石粉を混合して形成されるボイド磁石であり、入口扉３２に接着又は熱融着で固定される。磁石３２ａの外側面は入口扉３２の外側面と同一面を形成するような厚さに設定される。入口側内フランジ部３２は、第一開口３１と入口扉３２との隙間を塞ぐようなロの字状の板体で、カバー２０と同じ合成樹脂に磁石粉を混合して形成されるボイド磁石から構成される。入口側内フランジ部３３を構成する磁石は内側面が入口扉３２に固定される磁石３２ａの外側面と互いに引き合うような磁性を有する。入口側内フランジ部３２は、カバー２０の第一開口３１の外側の外周に接着又は熱融着により固定される。入口扉３２の磁石３２ａが入口側フランジ部３３に吸着すると、入口扉３２の外縁は入口側フランジ部３２ａで塞がれるので入口はほぼ密閉状態となる。
【００１０】
出口４０は第二開口４１、出口扉４２、出口側内フランジ部４３とから構成される。出口４０の構造は入口３０の構造と扉が開く方向と扉の開く形状が異なることを除き同じであるので、出口４０部分の拡大縦断面図は省略する。第二開口４１はカバー２０側面に設けられる上縁が真っ直ぐに切られた円状の穴である。出口扉４２はこの第二開口４１に嵌る大きさの上縁が真っ直ぐに切られた円状の板体であり、この上縁が第二開口４１の上縁と一体となるようにカバー２０との一部として成形される。出口扉４２の上縁と第二開口４１の上縁とは薄肉に形成されることで樹脂ヒンジを構成する。この樹脂ヒンジは、出口扉４２がカバー２０の外側に大きく開くように形成されている。出口扉４２の内側面の外周は段差が形成されており、この段差部分に嵌るリング状の板体からなる磁石４２ａが嵌め入れられて固定されている。磁石４２ａはカバー２０と同じ合成樹脂に磁石粉を混合して形成されるボイド磁石であり、出口扉４２に接着又は熱融着で固定される。磁石４２ａの内側面は出口扉４２の内側面と同一面を形成するような厚さに設定される。出口側内フランジ部４２は、第二開口４１と出口扉４２との隙間を塞ぐようなリング状の板体で、カバー２０と同じ合成樹脂に磁石粉を混合して形成されるボイド磁石から構成される。出口側内フランジ部４２を構成する磁石は外側面が出口扉４２に固定される磁石４２ａの内側面と互いに引き合うような磁性を有する。出口側内フランジ部４３は、カバー２０の第二開口４１の内側の外周に接着又は熱融着により固定される。出口扉４２の磁石４２ａが出口側フランジ部４３に吸着すると、出口扉４２の外縁は出口側フランジ部４２ａで塞がれるので出口はほぼ密閉状態となる。
【００１１】
次に、以上のような構成を有するペット用トイレＸの使用方法および作用について説明する。なお、ペットには、入口３０と出口４０とを形状や位置の違いなどから認識するように予めしつけておくものとする。使用に際しては、トレイ１０に猫砂やトイレシートを敷き、その後、カバー２０をトレイ１０の上に装着する。トレイ１０内には酸化チタンなどの消臭、殺菌効果のある物質や消臭機能のある器具などを一緒に入れておくことが望ましい。さらに、カバー２０の裏面に、酸化チタンなどの消臭、殺菌効果のある物質をまぜた塗料を塗るようにすることもできる。
トレイ１０は通常は、入口扉３２、出口扉４２は完全に閉じており、ペット用トイレＸの箱状の本体はほぼ密閉状態となる。この状態でペットが糞尿を排泄する場合、まず、ペットは入口扉３２を押してペット用トイレＸの内部に入る。ペットがペット用トイレＸ内に完全に入ると入口扉３２は重さで閉じ磁力によりしっかりと密閉状態となる。ペットはトレイ１０の上での排泄が完了すると、出口扉４２を押してペット用トイレＸの外へと出る。ペットが完全にペット用トイレＸから外へ出ると、入口扉３２は重さで閉じ磁力によりしっかりと密閉状態となる。従って、排泄物の臭いはペット用トイレＸ内に閉じ込められ、外部にほとんど漏れることがないので、ペット用トイレＸを室内においておいても、臭いが気になることがない。
【００１２】
なお、上記実施形態では、入口扉３２と入口側内フランジ部３３、出口扉４２と出口側内フランジ４３は、それぞれに互いに吸着する磁石を設けたが、一方側を磁石とし他方側を鉄などの磁性体とするようにしてもよい。また、入口側内フランジ部３３、出口側内フランジ部４３は全体を磁石で形成しているが、入口扉３２や出口扉４２と接触する部分のみを磁石や磁性体で形成することもできる。さらに、入口３０と出口４０の位置を略直方体状のカバー２０の隣り合う面にそれぞれ設けているが、これらの位置は適宜変更することができる。そして、入口３０と出口４０の形を変えることでペットに入口３０と出口４０との違いを認識しやすくしているが、入口扉３２と出口扉４２の明度を変えることで認識しやすくすることもできる。
【符号の説明】
【００１３】
Ｘ  標識コーン
１０  トレイ
２０  カバー
３０  入口
３１  第一開口
３２  入口扉
３２ａ  磁石
３３  入口側内フランジ部
４０  出口
４１  第二開口
４２  出口扉
４２ａ  磁石
４３  出口側内フランジ部
【図１】
0003177313.tif 000003
【図２】
0003177313.tif 000004
【図３】
0003177313.tif 000005